(57)【要約】【課題】回動により姿勢を変えることができる機器を壁に干渉せずに回動させることができるブラケットを用いた壁への機器の取付構造、および、壁に取付可能な機器を提供すること。【解決手段】取付構造３２は、ブラケット１と、異方性のある機器２の底面に設けられた２本のピン２５とを含む。ブラケット１は、壁Ｗに固定される固定板２０、および、固定板２０の上端縁２０Ｃから延び出て機器２が載置される載置板２１を含む。載置板２１には、ピン２５が１本ずつ係合される第１ガイド溝２３および第２ガイド溝２４が形成されている。第１ガイド溝２３および第２ガイド溝２４は、載置板２１に載置された機器２が、その一側面である第１側面８が壁Ｗに近接対向する第１姿勢から、第１側面８が壁Ｗに略直交する第２姿勢までの範囲において回動自在となるように、ピン２５を案内する。【選択図】図５
2015121264.tif 000002
【特許請求の範囲】
【請求項１】
固定板、および、前記固定板の一端縁から前記固定板と直交する方向に延び出た載置板を含み、前記固定板を壁に固定し、異方性のある機器を前記載置板に載置して使用するＬ字型のブラケットと、
前記機器の底面に設けられた２本のピンと、
を備えた、壁への機器の取付構造であって、
前記載置板には、前記ピンが１本ずつ係合される第１ガイド溝および第２ガイド溝が形成されており、
前記第１ガイド溝および第２ガイド溝は、前記載置板に載置された前記機器が、その一側面が壁に近接対向する第１姿勢から、当該一側面が壁に略直交する第２姿勢までの範囲において回動自在となるように、前記ピンを案内し、
前記機器の前記第２姿勢への回動により、前記機器の側面のうち前記一側面と異なる対向面は、前記壁に干渉することなく、前記壁に対向する位置まで少なくとも移動することを特徴とする、壁への機器の取付構造。
【請求項２】
前記機器が前記第１姿勢から前記第２姿勢まで回動する間、
前記機器が前記第１姿勢にあるときの前記固定板の一端縁に沿う第１方向における前記機器の両端部のうち、前記固定板の一端縁に接近する一端部は、前記載置板上で前記第１方向に直交する第２方向において第１距離だけ移動し、
前記両端部のうち、前記固定板の一端縁から離間する他端部は、前記第２方向において前記第１距離より長い第２距離だけ移動することを特徴とする、請求項１記載の壁への機器の取付構造。
【請求項３】
前記第１ガイド溝は、前記第２ガイド溝よりも短く、
前記第２ガイド溝は、前記固定板の一端縁から遠ざかる方向へ向けて延びており、かつ、前記載置板の外側へ膨出するように湾曲していることを特徴とする、請求項１または２記載の壁への機器の取付構造。
【請求項４】
前記第１ガイド溝の全体は、前記第２ガイド溝よりも前記固定板の一端縁側に位置し、
前記第１ガイド溝と前記固定板の一端縁との最短距離は、前記機器の対向面と、前記第１ガイド溝に係合するピンとの間隔よりも長いことを特徴とする、請求項１〜３のいずれかに記載の壁への機器の取付構造。
【請求項５】
前記固定板の一端縁に沿う第１方向における前記第１ガイド溝の両端の間隔は、前記載置板上で前記第１方向に直交する第２方向における前記第１ガイド溝の両端の間隔よりも大きく、
前記第１方向における前記第２ガイド溝の両端の間隔は、前記第２方向における前記第２ガイド溝の両端の間隔よりも小さいことを特徴とする、請求項１〜４のいずれかに記載の壁への機器の取付構造。
【請求項６】
前記第１ガイド溝は、直線状であることを特徴とする、請求項１〜５のいずれかに記載の壁への機器の取付構造。
【請求項７】
前記ピンが前記第１ガイド溝および第２ガイド溝から抜けることを防止するための抜け止め防止機構が設けられていることを特徴とする、請求項１〜６のいずれかに記載の壁への機器の取付構造。
【請求項８】
前記２本のピンが底面に設けられ、請求項１〜７のいずれかに記載の取付構造を介して壁に取付可能なことを特徴とする、機器。
【発明の詳細な説明】
【技術分野】
【０００１】
この発明は、壁への機器の取付構造、および、壁に取付可能な機器に関する。
【背景技術】
【０００２】
下記の特許文献１で開示された表示装置は、映像を表示する表示面を有する表示ユニットと、表示ユニットを支持する架台とを備えている。架台は、表示ユニットを、表示面が基準面上に位置するように収納する収納位置と、当該収納位置から前方に突出する突出位置との間で案内する案内溝と、表示ユニットを収納位置から突出位置に設けて押し出すカム機構とを備えている。
【先行技術文献】
【特許文献】
【０００３】
【特許文献１】特開２０１２−２５５８７８号公報
【発明の概要】
【発明が解決しようとする課題】
【０００４】
特許文献１の表示ユニットは、収納位置から突出位置に至るまでに比較的小さい角度しか回動しない。このような表示ユニットとは異なり、異方性のある機器がブラケットを介して壁に取り付けられた状態でたとえば９０度位の範囲で大きく回動して姿勢を変える場合において、回動中の機器が周囲の壁に干渉することを防止できることが望まれる。
この発明は、かかる背景のもとでなされたもので、回動により姿勢を変えることができる機器を壁に干渉せずに回動させることができるブラケットを用いた壁への機器の取付構造、および、壁に取付可能な機器を提供することを目的とする。
【課題を解決するための手段】
【０００５】
請求項１記載の発明は、固定板、および、前記固定板の一端縁から前記固定板と直交する方向に延び出た載置板を含み、前記固定板を壁に固定し、異方性のある機器を前記載置板に載置して使用するＬ字型のブラケットと、前記機器の底面に設けられた２本のピンと、を備えた、壁への機器の取付構造であって、前記載置板には、前記ピンが１本ずつ係合される第１ガイド溝および第２ガイド溝が形成されており、前記第１ガイド溝および第２ガイド溝は、前記載置板に載置された前記機器が、その一側面が壁に近接対向する第１姿勢から、当該一側面が壁に略直交する第２姿勢までの範囲において回動自在となるように、前記ピンを案内し、前記機器の前記第２姿勢への回動により、前記機器の側面のうち前記一側面と異なる対向面は、前記壁に干渉することなく、前記壁に対向する位置まで少なくとも移動することを特徴とする、壁への機器の取付構造である。
【０００６】
請求項２記載の発明は、前記機器が前記第１姿勢から前記第２姿勢まで回動する間、前記機器が前記第１姿勢にあるときの前記固定板の一端縁に沿う第１方向における前記機器の両端部のうち、前記固定板の一端縁に接近する一端部は、前記載置板上で前記第１方向に直交する第２方向において第１距離だけ移動し、前記両端部のうち、前記固定板の一端縁から離間する他端部は、前記第２方向において前記第１距離より長い第２距離だけ移動することを特徴とする、請求項１記載の壁への機器の取付構造である。
【０００７】
請求項３記載の発明は、前記第１ガイド溝は、前記第２ガイド溝よりも短く、前記第２ガイド溝は、前記固定板の一端縁から遠ざかる方向へ向けて延びており、かつ、前記載置板の外側へ膨出するように湾曲していることを特徴とする、請求項１または２記載の壁への機器の取付構造である。
請求項４記載の発明は、前記第１ガイド溝の全体は、前記第２ガイド溝よりも前記固定板の一端縁側に位置し、前記第１ガイド溝と前記固定板の一端縁との最短距離は、前記機器の対向面と、前記第１ガイド溝に係合するピンとの間隔よりも長いことを特徴とする、請求項１〜３のいずれかに記載の壁への機器の取付構造である。
【０００８】
請求項５記載の発明は、前記固定板の一端縁に沿う第１方向における前記第１ガイド溝の両端の間隔は、前記載置板上で前記第１方向に直交する第２方向における前記第１ガイド溝の両端の間隔よりも大きく、前記第１方向における前記第２ガイド溝の両端の間隔は、前記第２方向における前記第２ガイド溝の両端の間隔よりも小さいことを特徴とする、請求項１〜４のいずれかに記載の壁への機器の取付構造である。
【０００９】
請求項６記載の発明は、前記第１ガイド溝は、直線状であることを特徴とする、請求項１〜５のいずれかに記載の壁への機器の取付構造である。
請求項７記載の発明は、前記ピンが前記第１ガイド溝および第２ガイド溝から抜けることを防止するための抜け止め防止機構が設けられていることを特徴とする、請求項１〜６のいずれかに記載の壁への機器の取付構造である。
【００１０】
請求項８記載の発明は、前記２本のピンが底面に設けられ、請求項１〜７のいずれかに記載の取付構造を介して壁に取付可能なことを特徴とする、機器である。
【発明の効果】
【００１１】
請求項１および８記載の発明によれば、機器を壁に取り付けるためのブラケットにおいて機器が載置される載置板に形成された第１ガイド溝および第２ガイド溝には、機器の底面に設けられた２本のピンが１本ずつ係合される。第１ガイド溝および第２ガイド溝は、機器が、その一側面が壁に近接対向する第１姿勢から、当該一側面が壁に略直交する第２姿勢までの範囲において、載置板に載置された状態で回動自在となるように、ピンを案内することができる。機器が第２姿勢へ回動する際、異方性のある機器の側面のうち前記一側面と異なる対向面は、壁に干渉することなく、壁に対向する位置まで少なくとも移動する。これにより、回動により姿勢を変えることができる機器を壁に干渉せずに回動させることができる。
【００１２】
そのために、請求項２記載の発明のように、機器が第１姿勢から第２姿勢まで回動する間、固定板の一端縁に沿う第１方向における機器の両端部のうち、固定板の一端縁に接近する一端部は、載置板上で第１方向に直交する第２方向において第１距離だけ移動し、固定板の一端縁から離間する他端部は、第２方向において第１距離より長い第２距離だけ移動することが好ましい。また、請求項３記載の発明のように、第１ガイド溝は、第２ガイド溝よりも短く、第２ガイド溝は、固定板の一端縁から遠ざかる方向へ向けて延びており、かつ、載置板の外側へ膨出するように湾曲していることが好ましい。また、請求項４記載の発明のように、第１ガイド溝の全体は、第２ガイド溝よりも固定板の一端縁側に位置し、第１ガイド溝と固定板の一端縁との最短距離は、機器の対向面と、第１ガイド溝に係合するピンとの間隔よりも長いことが好ましい。また、請求項５記載の発明のように、固定板の一端縁に沿う第１方向における第１ガイド溝の両端の間隔は、載置板上で第１方向に直交する第２方向における第１ガイド溝の両端の間隔よりも大きく、第１方向における第２ガイド溝の両端の間隔は、第２方向における第２ガイド溝の両端の間隔よりも小さいことが好ましい。
【００１３】
また、請求項６記載の発明のように、第１ガイド溝は、直線状であってもよい。
請求項７記載の発明によれば、抜け止め防止機構によって、ピンが第１ガイド溝および第２ガイド溝から抜けることを防止することができる。
【図面の簡単な説明】
【００１４】
【図１】図１（ａ）は、この発明の一実施形態に係るブラケット１によって壁Ｗに取り付けられた第１姿勢の機器２の右側面図であり、図１（ｂ）は、第１姿勢の機器２の背面図である。
【図２】図２は、ブラケット１によって壁Ｗに取り付けられた第１姿勢の機器２の左側面図である。
【図３】図３（ａ）は、ブラケット１の平面図であり、図３（ｂ）は、ブラケット１を上方から見た斜視図であり、図３（ｃ）は、ブラケット１を下方から見た斜視図である。
【図４】図４は、ブラケット１と機器２との連結部分の模式図である。
【図５】図５は、機器２が第１姿勢と第２姿勢との間で姿勢を変える様子を説明するためのブラケット１および機器２の模式的な平面図である。
【図６】図６（ａ）は、ブラケット１および第１姿勢の機器２を下方から見た斜視図であり、図６（ｂ）は、ブラケット１および第２姿勢の機器２を下方から見た斜視図である。
【図７】図７は、本実施形態に係るブラケット１および機器２の模式的な平面図である。
【図８】図８（ａ）は、第１変形例に係るブラケット１および機器２の模式的な平面図であり、図８（ｂ）は、第２変形例に係るブラケット１および機器２の模式的な平面図であり、図８（ｃ）は、第３変形例に係るブラケット１および機器２の模式的な平面図である。
【発明を実施するための形態】
【００１５】
以下には、図面を参照して、この発明の実施形態について具体的に説明する。
図１（ａ）は、この発明の一実施形態に係るブラケット１によって壁Ｗに取り付けられた第１姿勢の機器２の右側面図であり、図１（ｂ）は、第１姿勢の機器２の背面図である。図２は、ブラケット１によって壁Ｗに取り付けられた第１姿勢の機器２の左側面図である。
【００１６】
なお、以下では、ブラケット１を介して機器２が取り付けられる壁Ｗが、上下に延びる縦壁であることを前提とし、壁Ｗの手前の位置から壁Ｗの垂直な壁面ＷＳを臨んだときを基準として、ブラケット１および機器２の姿勢を特定する。
ブラケット１の説明の前に、機器２について説明する。
図１を参照して、機器２は、たとえば信号表示灯であり、ベース部３と、ベース部３から上方に延び出た表示部４とを含んでいる。
【００１７】
ベース部３は、略ボックス状であり、底面５と、天面６と、底面５および天面６の間に架設されて上下に延びる４つの側面７とを含んでいる。底面５は、平坦面である。天面６は、平坦面でなくてもよく、この実施形態では、曲率の異なる複数の曲面で構成されている。
４つの側面７は、機器２の一側面をなす第１側面８と、第１側面８に対して間隔を隔てて配置される第２側面９と、第１側面８および第２側面９の間に架設される第３側面１０および第４側面１１とを有する。第３側面１０は、第４側面１１に対して間隔を隔てて配置されている（図１（ｂ）参照）。この機器２ではブザーを鳴らすことができ、ブザーの音量調整のためにユーザによって操作されるボリューム１２が第１側面８に設けられ、ブザーを鳴らすスピーカー１３が第３側面１０に設けられている。第３側面１０には、対向面として円弧状に膨出した突出部１４が設けられていて、スピーカー１３は、突出部１４に配置されている。突出部１４は、機器２の側面（ベース部３の側面７）のうち第１側面８と異なる部分であって、機器２の側面において角張った部分であることから、機器２に異方性をもたらしている。また、第１側面８および第２側面９のそれぞれと第３側面１０との境界部分１９も角張っている。
【００１８】
表示部４は、上下に細長い円筒である。表示部４は、ベース部３の天面６において第４側面１１よりも第３側面１０側（突出部１４側）に偏った領域に取り付けられている（図１（ｂ）参照）。
表示部４は、縦に並んだ複数のレンズ１５とＬＥＤ等の光源（図示せず）とを主に備えている。光源は、レンズ１５毎に設けられている。ベース部３から光源に電力が供給されることによって、対応するレンズ１５が発光する。レンズ１５から発光される光の色は、レンズ１５毎に異なっていてもよい。各レンズ１５の発光パターンは、ベース部３に内蔵され、ＣＰＵやメモリ等で構成された制御部（図示せず）によって制御される。
【００１９】
この機器２は、一例として、サーバーが配置された専用の部屋であるサーバー室に配置される。サーバーにトラブル等の変化が生じた場合には、その変化の種類に応じた色でいずれかのレンズ１５が発光したり、スピーカー１３からブザーが鳴ったりする。これによって、サーバーに変化が生じたことがユーザに報知される。また、機器２は、サーバー室とは別のオフィス等に配置されることもある。その場合、機器２は、サーバー室のサーバーとネットワークでつながっていて、サーバーに変化が生じたことをネットワーク経由で受信し、対応するレンズ１５を発光させたりブザーを鳴らしたりすることで、オフィス内のユーザに報知する。
【００２０】
レンズ１５の発光履歴やブザーの出力履歴は、ログとして、ベース部３の制御部のメモリ（図示せず）に記憶される。メモリに記憶されたログは、ＵＳＢメモリ等の記憶媒体によって読み出される。図２に示すように、第４側面１１には、当該記憶媒体の差し込み口１６が設けられている。また、第４側面１１には、前述したネットワーク用の通信ケーブルの接続口１７や、各レンズ１５の発光パターンといった機器２の動作条件を設定するためにユーザによって操作されるディップスイッチ１８が設けられている。
【００２１】
ブラケット１は、このような機器２を壁Ｗに取り付けるための固定具である。
ブラケット１は、固定板２０と、載置板２１とを一体的に含み、載置板２１に機器２を載置して使用される。
固定板２０は、壁Ｗの壁面ＷＳに沿って配置されており、この実施形態では、上下に延びている。固定板２０において壁面ＷＳに対向配置されて接触する面を、裏面２０Ａといい、固定板２０の厚さ方向において裏面２０Ａとは反対側の面を、表面２０Ｂという。
【００２２】
載置板２１は、固定板２０の一端縁をなす上端縁２０Ｃから、固定板２０と直交する方向（壁Ｗの壁面ＷＳに垂直な方向）に延び出ている。そのため、固定板２０および載置板２１を含むブラケット１は、Ｌ字型に形成されている。１枚の金属板をＬ字に折り曲げることによってブラケット１が形成される。
固定板２０の上端縁２０Ｃは、固定板２０と載置板２１との境界であって、壁Ｗの壁面ＷＳ上において水平方向に沿って延びている。上端縁２０Ｃに沿う方向を第１方向Ｄ１というと、第１方向Ｄ１は、図２において太線矢印Ｑで示すように壁Ｗの手前の位置から壁Ｗの壁面ＷＳを臨んだときにおける左右方向である。
【００２３】
載置板２１の厚さ方向は、上下方向である。載置板２１の上面を、上面２１Ａといい、載置板２１の下面を、下面２１Ｂという。載置板２１の上面２１Ａには、機器２が上から載置される。載置板２１に載置された機器２では、ベース部３の底面５が、載置板２１の上面２１Ａに対して平行な状態で上から接触している。
図３（ａ）は、ブラケット１の平面図であり、図３（ｂ）は、ブラケット１を上方から見た斜視図であり、図３（ｃ）は、ブラケット１を下方から見た斜視図である。
【００２４】
図３を参照して、固定板２０は、第１方向Ｄ１に長手の略長方形状であり、その四隅には、固定板２０を厚さ方向に貫通する挿通孔２２が１つずつ形成されている（図３（ｃ）参照）。ねじ（図示せず）が、固定板２０の表面２０Ｂ側から各挿通孔２２に１本ずつ挿通されて壁Ｗにねじ込まれることによって、固定板２０が壁Ｗに固定される。これにより、ブラケット１全体が壁Ｗに取り付けられる。壁Ｗに取り付けられたときのブラケット１は、ユーザがブラケット１の載置板２１に載置された機器２を操作しやすいように、ユーザの目線と同じ高さ（たとえば１ｍ５０ｃｍ程度）に位置する。
【００２５】
載置板２１は、平面視で略矩形状である。平面視における載置板２１の四隅において固定板２０の上端縁２０Ｃに接続されていない部分は、略直角に角張っていてもよいが、この実施形態のように円弧状に丸められてもよい。その場合、載置板２１において固定板２０の上端縁２０Ｃ側とは反対側の周縁部２１Ｃが、平面視において上端縁２０Ｃから離れる方向へ円弧状に膨出している。
【００２６】
図３（ａ）を参照して、壁Ｗの壁面ＷＳに垂直な方向を第２方向Ｄ２というと、第２方向Ｄ２は、載置板２１上で第１方向Ｄ１に直交している。
そして、載置板２１の上面２１Ａには、第１ガイド溝２３および第２ガイド溝２４という２本の溝が形成されている。
本実施形態では、第１ガイド溝２３および第２ガイド溝２４の形状や寸法について、以下の条件１〜５が満たされている。
・条件１：第１ガイド溝２３の全体は、第２ガイド溝２４における壁Ｗ側の端部（後述する第２一端部２４Ａ）側に偏って配置され、第２ガイド溝２４よりも固定板２０の上端縁２０Ｃ側（壁Ｗ側）に位置している。
・条件２：第１ガイド溝２３の両端の間隔（第１ガイド溝２３の延びる方向における長さ）は、第２ガイド溝２４の両端の間隔（第２ガイド溝２４の延びる方向における長さ）よりも短い。
・条件３：第２ガイド溝２４は、固定板２０の上端縁２０Ｃおよび壁Ｗから遠ざかる方向（第１離間方向Ｄ３という）へ向けて延びており、かつ、載置板２１の外側へ膨出するように湾曲している。
・条件４：第１方向Ｄ１における第１ガイド溝２３の両端の間隔Ｌ１は、第２方向Ｄ２における第１ガイド溝２３の両端の間隔Ｌ２よりも大きい。
・条件５：第１方向Ｄ１における第２ガイド溝２４の両端の間隔Ｌ３は、第２方向Ｄ２における第２ガイド溝２４の両端の間隔Ｌ４よりも小さい。
【００２７】
図３（ｂ）を参照して、第１方向Ｄ１と同じ方向である前述した左右方向を基準とすると、第２ガイド溝２４は、第１ガイド溝２３よりも左側（第１方向Ｄ１における一方側）に位置し、第１ガイド溝２３から左側へ遠ざかる方向（第２離間方向Ｄ４という）へ向けて膨出している。
また、第１ガイド溝２３は、後述するように様々な形状が考えられるが、図３で示す実施形態では、直線状である。直線状の第１ガイド溝２３は、第２ガイド溝２４へ近づくにつれて固定板２０の上端縁２０Ｃから第１離間方向Ｄ３へ離れるように、第１方向Ｄ１に対して傾斜して延びている。
【００２８】
以下では、第１ガイド溝２３の両端部のうち、一方を第１一端部２３Ａといい、他方を第１他端部２３Ｂという。第１一端部２３Ａは、第１離間方向Ｄ３および第２離間方向Ｄ４のそれぞれにおける上流側端部であり、第１他端部２３Ｂは、第１離間方向Ｄ３および第２離間方向Ｄ４のそれぞれにおける下流側端部である。第１一端部２３Ａおよび第１他端部２３Ｂは、丸められている。
【００２９】
また、第２ガイド溝２４の両端部のうち、一方を第２一端部２４Ａといい、他方を第２他端部２４Ｂという。第２一端部２４Ａは、第１離間方向Ｄ３における上流側端部であるが、第２離間方向Ｄ４における下流側端部であり、第２他端部２４Ｂは、第１離間方向Ｄ３における下流側端部であるが、第２離間方向Ｄ４における上流側端部である。第２一端部２４Ａおよび第２他端部２４Ｂは、丸められている。
【００３０】
第１ガイド溝２３および第２ガイド溝２４の形状や寸法について満たすべき追加の条件の一例として、以下の条件６および７が挙げられる。
・条件６：第１一端部２３Ａと第２一端部２４Ａとは、第２方向Ｄ２において同じ位置にあり、第１他端部２３Ｂと第２他端部２４Ｂとは、第１方向Ｄ１において同じ位置にある。
・条件７：第１一端部２３Ａと第２一端部２４Ａとの間隔Ｘは、第１他端部２３Ｂと第２他端部２４Ｂとの間隔Ｙと同じである。
【００３１】
図４は、ブラケット１と機器２との連結部分の模式図である。
図４を参照して、第１ガイド溝２３および第２ガイド溝２４のそれぞれには、ピン２５が１本ずつ係合される。ピン２５は、２本存在し、機器２のベース部３の底面５に設けられ、底面５に直交した状態で底面５から下方に突出している。ピン２５において第１ガイド溝２３および第２ガイド溝２４のそれぞれに嵌まっている部分は、各ガイド溝の溝幅よりも細い。
【００３２】
ピン２５としては、図４（ａ）に示すねじ２６であってもよい。この場合、第１ガイド溝２３および第２ガイド溝２４のそれぞれは、載置板２１を厚さ方向に貫通したスリットである。ねじ２６は、載置板２１の下面２１Ｂ側から、第１ガイド溝２３および第２ガイド溝２４のそれぞれに対して遊びを持って挿通され、ベース部３の底面５に設けられたねじ穴５Ａにねじ込まれる。ねじ２６において下端に位置するねじ頭２６Ａは、第１ガイド溝２３および第２ガイド溝２４のそれぞれから載置板２１の下面２１Ｂ側にはみ出ている。ねじ頭２６Ａは、第１ガイド溝２３および第２ガイド溝２４のそれぞれの溝幅よりも幅広である。そのため、ねじ頭２６Ａは、載置板２１の下面２１Ｂに下から引っ掛かることによって、ピン２５（ねじ２６）が第１ガイド溝２３および第２ガイド溝２４から抜けることを防止するためにブラケット１に設けられた抜け止め防止機構を構成している。ねじ２６を締めることによって、載置板２１上において機器２を位置決めすることができる。
【００３３】
別の構成のピン２５としては、図４（ｂ）に示すように、ベース部３の底面５に固定され、底面５から下方に突出するねじ軸２７であってもよい。この場合も、第１ガイド溝２３および第２ガイド溝２４のそれぞれは、前述したスリットである。ねじ軸２７の外周面には、ねじ溝が形成されている。ねじ軸２７は、載置板２１の上面２１Ａ側から、第１ガイド溝２３および第２ガイド溝２４のそれぞれに対して遊びを持って挿通される。ねじ軸２７の下端部は、第１ガイド溝２３および第２ガイド溝２４のそれぞれから載置板２１の下面２１Ｂ側にはみ出ていて、当該下端部に、ナット２８が組み付けられる。ナット２８は、載置板２１の下面２１Ｂに下から引っ掛かることによって、前述した抜け止め防止機構を構成している。ナット２８を締めることによって、載置板２１上において機器２を位置決めすることができる。なお、ナット２８がいわゆる蝶ナットであれば、工具を用いずにナット２８を締めたり緩めたりすることができる。
【００３４】
さらに別の構成のピン２５としては、図４（ｃ）に示すように、ベース部３の底面５に固定され、底面５から二股に分かれて下方に突出する一対の弾性部材２９であってもよい。一対の弾性部材２９は、板ばね等で構成されており、ベース部３の底面５側を基端として、互いに接離するように弾性変形可能である。この場合も、第１ガイド溝２３および第２ガイド溝２４のそれぞれは、前述したスリットである。一対の弾性部材２９は、載置板２１の上面２１Ａ側から、第１ガイド溝２３および第２ガイド溝２４のそれぞれに対して遊びを持って挿通される。一対の弾性部材２９の下端部は、第１ガイド溝２３および第２ガイド溝２４のそれぞれから載置板２１の下面２１Ｂ側にはみ出ていて、互いに離れる方向へ折れ曲がった爪３０になっている。各爪３０は、載置板２１の下面２１Ｂに下から引っ掛かることによって、前述した抜け止め防止機構を構成している。
【００３５】
さらに別の構成のピン２５としては、図４（ｄ）に示すように、ベース部３の底面５に固定され、底面５から下方に突出する凸部３１であってもよい。この場合、第１ガイド溝２３および第２ガイド溝２４のそれぞれは、載置板２１の上面２１Ａから下方へ窪む凹部であって、載置板２１を厚さ方向に貫通しない。凸部３１は、載置板２１の上面２１Ａ側から、第１ガイド溝２３および第２ガイド溝２４のそれぞれに対して遊びを持って嵌め込まれる。この場合、前述した抜け止め防止機構として、ベース部３の底面５と載置板２１とが磁力によって引き寄せられるようにする構成が考えられる。
【００３６】
以上のようにピン２５が第１ガイド溝２３および第２ガイド溝２４のそれぞれに１本ずつ係合されることによって、機器２が、ブラケット１を介して壁Ｗに取り付けられる。そのため、ブラケット１および２本のピン２５は、壁Ｗへの機器２の取付構造３２を構成している。機器２は、取付構造３２を介して壁Ｗに取り付け可能である。
図５は、機器２が第１姿勢と第２姿勢との間で姿勢を変える様子を説明するためのブラケット１および機器２の模式的な平面図である。なお、図５では、説明の便宜上、ブラケット１の載置板２１の輪郭において平面視では機器２のベース部３の下に隠れる部分、第１ガイド溝２３、第２ガイド溝２４および各ピン２５を実線で示している。
【００３７】
図５（ａ）を参照して、機器２のベース部３の底面５に設けられた２本のピン２５の間隔Ｚは、前述した間隔ＸおよびＹ（図３（ｂ）参照）のそれぞれに等しい。２本のピン２５のうち、第１ガイド溝２３に係合されるピン２５を第１ピン２５Ａといい、第２ガイド溝２４に係合されるピン２５を第２ピン２５Ｂという。
通常使用状態における機器２の姿勢は、図５（ａ）に示す第１姿勢である。第１姿勢は、ホームポジションにある機器２の姿勢である。第１姿勢の機器２では、第１ピン２５Ａは、第１ガイド溝２３において第１一端部２３Ａに位置し、第２ピン２５Ｂは、第２ガイド溝２４において第２一端部２４Ａに位置している。そして、第１姿勢の機器２では、ベース部３の第１側面８が、死角となって、壁Ｗの壁面ＷＳに第２方向Ｄ２から近接対向して壁面ＷＳと略平行になっており、第１側面８と壁Ｗとの隙間Ｓは、比較的狭くなっている。そのため、第１姿勢の機器２は、壁Ｗになるべく接近した状態になっていて、壁Ｗとの一体感が図られている。この状態では、ユーザは、第１側面８のボリューム１２に指が届かないので、ボリューム１２を操作できない。しかし、通常使用状態でボリューム１２を操作できるように隙間Ｓを大きくせずに済むことから、機器２を壁Ｗに寄せることができるので、その分、平面視におけるブラケット１を小さく抑えることができる。
【００３８】
また、壁Ｗの壁面ＷＳの手前側から第１姿勢の機器２を見ると、ベース部３では、第２側面９が最も大きく見え、第３側面１０および突出部１４が右手に位置し、第４側面１１が左手に位置する。
ユーザは、ブザーの音量調整のためにボリューム１２を操作したい場合には、第１姿勢の機器２のベース部３を掴んで、平面視で反時計回りに約９０度回動させ、ベース部３の底面５を載置板２１の上面２１Ａに対して摺動させる。なお、回動の開始に先立って、必要に応じて、前述したねじ２６やナット２８を緩めて、機器２の位置決めを解除しておく。
【００３９】
回動を開始すると、図５（ｂ）に示すように、第１ピン２５Ａは、第１ガイド溝２３において第１一端部２３Ａから外れて第１他端部２３Ｂへずれ、第２ピン２５Ｂは、第２ガイド溝２４において第２一端部２４Ａから外れて第２他端部２４Ｂへずれる。２本のピン２５の間隔Ｚは、第１姿勢のときと同じである。このとき、今まで壁面ＷＳと略平行になっていたベース部３の第１側面８が壁面ＷＳに対して傾斜し、機器２全体が壁Ｗから第１離間方向Ｄ３へ離れる。一方、ベース部３の第３側面１０の突出部１４は、壁Ｗの方向に向く。
【００４０】
さらに回動を続けると、図５（ｃ）に示すように、第１ピン２５Ａは、第１ガイド溝２３において第１他端部２３Ｂにさらに接近し、第２ピン２５Ｂは、第２ガイド溝２４において第２他端部２４Ｂにさらに接近する。２本のピン２５の間隔Ｚは、第１姿勢のときと同じである。このとき、壁面ＷＳに対するベース部３の第１側面８の傾斜角度θが図５（ｂ）のときよりも大きくなり、機器２全体が壁Ｗから第１離間方向Ｄ３へさらに離れる一方で、第３側面１０の突出部１４は、壁Ｗに対して、直角に近い角度で向く。
【００４１】
機器２を目一杯まで回動させると、図５（ｄ）に示すように、第１ピン２５Ａは、第１ガイド溝２３において第１他端部２３Ｂに到達し、第２ピン２５Ｂは、第２ガイド溝２４において第２他端部２４Ｂに到達する。２本のピン２５の間隔Ｚは、第１姿勢のときと同じである。このときの機器２の姿勢は、第２姿勢である。機器２が第２姿勢にあるとき、壁面ＷＳに対するベース部３の第１側面８の傾斜角度θが約９０度になり、第１側面８が、壁Ｗに略直交していて、左側へ露出されている。また、ベース部３では、第４側面１１側の部分が載置板２１の周縁部２１Ｃの外にはみ出ている。また、ベース部３の第３側面１０の突出部１４が、壁Ｗに対して真正面から対向している。
【００４２】
以上のように、第１ガイド溝２３および第２ガイド溝２４は、載置板２１に載置された機器２が、その一側面である第１側面８が壁Ｗに近接対向する第１姿勢（図５（ａ）参照）から、第１側面８が壁Ｗに略直交する第２姿勢（図５（ｂ）参照）までの範囲において回動自在となるように、ピン２５を案内する。
そして、機器２は、第１姿勢から第２姿勢まで回動する間、突出部１４や前述した境界部分１９が壁Ｗに干渉しないように、壁Ｗから離れる。そのため、第１姿勢の機器２と壁Ｗとの隙間Ｓが狭くても、突出部１４（境界部分１９も含む）を壁Ｗに干渉させるとなく、機器２を第１姿勢から第２姿勢まで回動させることができる。つまり、機器２の第２姿勢への回動により、第１ガイド溝２３および第２ガイド溝２４ならびに各ピン２５は、突出部１４を壁Ｗに干渉することなく、壁Ｗに対向する位置（図５（ｄ）参照）まで少なくとも移動させる。これにより、回動により姿勢を変えることができる機器２を壁Ｗに干渉せずに回動させることができる。ちなみに、突出部１４が壁Ｗに対向する位置（図５（ｄ）参照）を通り過ぎたときに、機器２が第２姿勢となってもよい。
【００４３】
突出部１４が壁Ｗに干渉することを確実に防止するために、第１ガイド溝２３と固定板２０の上端縁２０Ｃとの最短距離Ｌ５は、突出部１４の表面において最も突出した部分と、第１ガイド溝２３に係合する第１ピン２５Ａとの間隔Ｌ６よりも長くなっている必要がある。
機器２が第２姿勢になった状態で、ユーザは、ボリューム１２を操作して、ブザーの音量調整を行うことができる。音量調整後、ユーザは、第２姿勢の機器２のベース部３を掴んで、図５（ｄ）、図５（ｃ）、図５（ｂ）の順で、平面視で時計回りに約９０度回動させると、機器２は、途中で壁Ｗに干渉することなく、図５（ａ）に示す第１姿勢に戻る。よって、ユーザは、必要に応じて機器２を第１姿勢から第２姿勢まで回動させてボリューム１２を操作し、その後、機器２を第１姿勢に戻すことができる。
【００４４】
なお、ブラケット１および第１姿勢の機器２を下方から見た状態を図６（ａ）で示し、ブラケット１および第２姿勢の機器２を下方から見た状態を図６（ｂ）で示している。
図７は、本実施形態に係るブラケット１および機器２の模式的な平面図である。図７では、第１姿勢の機器２が実線で示され、第１姿勢のときのピン２５（第１ピン２５Ａおよび第２ピン２５Ｂ）が黒丸で示され、第２姿勢の機器２が破線で示され、第２姿勢のときのピン２５が白丸で示されている（後述する図８（ａ）〜図８（ｃ）の各図においても同様）。
【００４５】
図７に示すように、機器２が第１姿勢にあるときの第１方向Ｄ１における機器２（ベース部３）の両端部のうち、機器２が第１姿勢から第２姿勢まで回動する間に上端縁２０Ｃに接近する一端部に符号「２Ａ」を付し、上端縁２０Ｃから離間する他端部に符号「２Ｂ」を付す。機器２が第１姿勢から第２姿勢まで回動する間、一端部２Ａは、第２方向Ｄ２において第１距離Ｍ１だけ移動するのに対し、他端部２Ｂは、第２方向Ｄ２において第１距離Ｍ１より長い第２距離Ｍ２だけ移動する。このようにすれば、ブラケット１を介して壁Ｗに取り付けられた機器２を壁Ｗと干渉しないように第１姿勢と第２姿勢との間で回動させることができる。
【００４６】
機器２は、第１姿勢と第２姿勢との間で回動する際、１つの回動中心を基準とする単純な円運動をしている訳ではない。前述したように機器２のベース部３には突出部１４が設けられているので、単純な円運動によって壁Ｗへの突出部１４の干渉を防止するためには、機器２の回転中心を壁Ｗから離さなければならず、これにより、ブラケット１の大型化が不可避である。
【００４７】
しかし、本実施形態によれば、第１ガイド溝２３および第２ガイド溝２４によってピン２５をガイドすることによって、機器２を第１ピン２５Ａまわりに回動させる一方で、機器２の回動中心となる第１ピン２５自体を第１ガイド溝２３に沿って移動させる。これにより、突出部１４が壁Ｗに対して接触しない程度に接近した絶妙な相対関係を維持するように機器２を複雑な軌道で回動させて、第１姿勢と第２姿勢との間で姿勢変更することができる。
【００４８】
この発明は、以上の実施形態の内容に限定されるものではなく、請求項記載の範囲内において種々の変更が可能である。
たとえば、第１ガイド溝２３および第２ガイド溝２４は、機器２の突出部１４が壁Ｗに干渉しないように機器２の第１姿勢と第２姿勢との間の回動を案内できるのであれば、図３〜図６で示した形状以外の形状でも構わない。
【００４９】
図８（ａ）は、第１変形例に係るブラケット１および機器２の模式的な平面図であり、図８（ｂ）は、第２変形例に係るブラケット１および第１姿勢の機器２の模式的な平面図であり、図８（ｃ）は、第３変形例に係るブラケット１および第１姿勢の機器２の模式的な平面図である。
図８（ａ）に示す第１変形例の場合、前述した実施形態（本実施形態という）では直線状であった第１ガイド溝２３（図５参照）が、第１一端部２３Ａから第１他端部２３Ｂへ向けて固定板２０の上端縁２０Ｃから離れるように湾曲している。このような第１ガイド溝２３に応じて、第２ガイド溝２４では、第２一端部２４Ａおよび第２他端部２４Ｂの位置や、第２ガイド溝２４の曲率が若干変更されている。第１変形例における第２ガイド溝２４は、本実施形態における第２ガイド溝２４に比べて曲率が小さい。
【００５０】
図８（ｂ）に示す第２変形例の場合、第１ガイド溝２３において、第１他端部２３Ｂ側の略３分の２の領域として第１方向Ｄ１に沿って直線状に延びる直線部５１と、直線部５１から第１一端部２３Ａへ向けて固定板２０の上端縁２０Ｃから離れるように湾曲する曲線部５２とを含んでいる。このような第１ガイド溝２３に応じて、第２ガイド溝２４では、第２一端部２４Ａおよび第２他端部２４Ｂの位置や、第２ガイド溝２４の曲率が若干変更されている。第２変形例における第２ガイド溝２４は、本実施形態における第２ガイド溝２４に比べて、第２他端部２４Ｂ周辺での曲率が大きい。
【００５１】
第２変形例の場合、機器２を第１姿勢から第２姿勢へと回動させる際において、第１ピン２５Ａが曲線部５２を通っている間は突出部１４が壁Ｗに接近し、第１ピン２５Ａが曲線部５２から直線部５１に移ると、突出部１４と壁Ｗとの間隔がほぼ一定の状態で機器２が回動する。
図８（ｃ）に示す第３変形例の場合、第１ガイド溝２３において、第１一端部２３Ａ側の略４分の１の領域として第１方向Ｄ１に沿って直線状に延びる第１直線部５３と、第１直線部５３から第１他端部２３Ｂへ向けて固定板２０の上端縁２０Ｃに徐々に接近するように直線状に延びる第２直線部５４とを含んでいる。このような第１ガイド溝２３に応じて、第２ガイド溝２４では、第２一端部２４Ａおよび第２他端部２４Ｂの位置や、第２ガイド溝２４の曲率が若干変更されている。第３変形例における第２ガイド溝２４は、本実施形態における第２ガイド溝２４に比べて曲率が大きい。
【００５２】
第３変形例の場合、機器２を第１姿勢から第２姿勢へと回動させる際において、第１ピン２５Ａが第１直線部５３から第２直線部５４に移ると、突出部１４が壁Ｗに干渉しない程度に目一杯接近する。そのため、突出部１４と壁Ｗとの間隔を極力小さく抑えて機器２を回動させることができる。
また、前述した実施形態では、機器２が第１姿勢にあるときに、ベース部３においてボリューム１２が設けられた第１側面８が壁Ｗに近接対向するようにしているが、これはあくまで一例である。要は、ベース部３の４つの側面７（第１側面８、第２側面９、第３側面１０および第４側面１１）において、通常使用状態で使用する頻度が少ない部品が配置された側面７を、第１姿勢において壁Ｗに近接対向させて、スピーカー１３等の壁Ｗに向けない方がいい部品が配置された側面７を壁Ｗから遠ざけて配置すればよい。そのため、機器２が第１姿勢にあるときに、４つの側面７における第１側面８〜第４側面１１のいずれを壁Ｗに近接対向させるか任意に決定できる。
【００５３】
また、この実施形態では、壁Ｗの壁面ＷＳが垂直に延びているものとして説明したが、壁面ＷＳは、垂直方向に対して傾斜していてもよく、その場合、ブラケット１の載置板２１は、水平方向に対して傾斜して配置される。
また、前述した実施形態では、機器２を第１姿勢から第２姿勢へ姿勢変更する際、平面視で反時計回りに機器２を回動させたが（図５参照）、機器２を第１姿勢から第２姿勢へ姿勢変更するために、逆回り（ここでは時計回り）に機器２を回動させる構成もあり得る。逆回りに機器２を回動させる場合には、第１ガイド溝２３および第２ガイド溝２４のそれぞれは、前述した実施形態の場合と左右対称になるように配置される。
【符号の説明】
【００５４】
１      ブラケット
２      機器
２Ａ    一端部
２Ｂ    他端部
５      底面
８      第１側面
１４    突出部
２０    固定板
２０Ｃ  上端縁
２１    載置板
２３    第１ガイド溝
２４    第２ガイド溝
２５    ピン
２５Ａ  第１ピン
２６Ａ  ねじ頭
２８    ナット
３０    爪
３２    取付構造
Ｄ１    第１方向
Ｄ２    第２方向
Ｄ３    第１離間方向
Ｌ１    間隔
Ｌ２    間隔
Ｌ３    間隔
Ｌ４    間隔
Ｌ５    最短距離
Ｌ６    間隔
Ｍ１    第１距離
Ｍ２    第２距離
Ｗ      壁
【図１】
2015121264.tif 000003
【図２】
2015121264.tif 000004
【図３】
2015121264.tif 000005
【図４】
2015121264.tif 000006
【図５】
2015121264.tif 000007
【図６】
2015121264.tif 000008
【図７】
2015121264.tif 000009
【図８】
2015121264.tif 000010